(57)【要約】【課題】梯子や梯子兼用脚立又は脚立を水平状態で上下に積み重ねる時、又は脚柱を折り畳み水平状態で上下に積み重ね保管、輸送ができる。【解決手段】左右一対の脚柱1a,1bの上端部に、枢支ピン１１で回動自在に連結し、枢支ピン１１を軸に回動することができる折畳接手板10a、10bを設け、前記、折畳接手板10a、10bに、係止凸部13b、14aと係止凸部受け13a、14bを形成し、かつ折り畳んだ脚柱1a,1bを積み重ねた時に、前記、係止凸部13b、14aと係止凸部受け13a、14bが、お互いに係合する係止具が構成される。【選択図】    図１１
2006016861.tif 000002
【特許請求の範囲】
【請求項１】
脚柱の一部に、脚柱を積み重ねた時、又は脚柱を折り畳んだ時に、当接する部分に、係止凸部と係止凸部受けを設けた、係止具が取付けられたことを特徴とする、梯子又は梯子兼用脚立又は脚立。
【請求項２】
脚柱が積み重ねられる当接する部分、又は脚柱を折り畳んだ当接する部分に、脚柱の一部に係止凸部と係止凸部受けが形成された接手板を設け、前記、係止凸部と係止凸部受けが、お互いに係合する係止具が構成されたことを、特徴とする請求項１記載の梯子又は梯子兼用脚立又は脚立。
【請求項３】
左右一対の脚柱の上端部に、枢支ピンで回動自在に連結し、枢支ピンを軸に回動することができる折畳接手板を設け、前記、折畳接手板に、係止凸部と係止凸部受けを形成し、かつ折り畳んだ脚柱を積み重ねた時に、前記、係止凸部と係止凸部受けが、お互いに係合する係止具が構成されたことを、特徴とする請求項２記載の梯子兼用脚立又は脚立。
【請求項４】
左右一対の脚柱の下端部に、折り畳んだ時に脚柱どうしが当接する部分、又は折り畳んだ脚柱を積み重ねた時に当接する部分に、係止凸部と係止凸部受けを形成した端具を設け、折り畳んだ時、積み重ねた時に、前記、係止凸部と係止凸部受けが、お互いに係合する係止具が構成されたことを特徴とする請求項３記載の梯子兼用脚立又は脚立。
【発明の詳細な説明】
【技術分野】
【０００１】
本発明は、脚柱を水平状態で上下に積み重ねる時、又は脚柱を折り畳み水平状態で上下に積み重ね保管、輸送ができる梯子又は梯子兼用脚立又は脚立に関する。
【背景技術】
【０００２】
図１４に示すように、従来は、梯子や梯子兼用脚立又は脚立を、上下に積み重ね保管、輸送する場合は、梯子や梯子兼用脚立又は脚立は水平状態に積み重ねができず、そのまま積み重ねても、作業途上や運搬時に積み重ねた梯子や梯子兼用脚立又は脚立が、横方向にずれて荷崩れを起こす事態が発生し、車両の荷台から製品を落下させ表面に傷をつけ、部品変形や破損することがあった。
【０００３】
折り畳んだ脚立の、端具の内側に縦溝を取付けた梯子兼用脚立があります。
【特許文献１】実開平５−４２６００号公報
【発明の開示】
【発明が解決しようとする課題】
【０００４】
しかしながら、この脚立は折り畳んだ時に、脚立の脚柱の下部端具が横にずれないように構成されたものであり、折り畳んだ脚立を水平状態で上下に積み重ねた際の荷崩れに対しての問題が未解決であった。
【０００５】
本発明は、前記のように梯子や梯子兼用脚立又は脚立を、水平状態で上下に積み重ねた際に、荷崩れを起こさないよう同一面上に整正して積み重ねることができるようにすることを目的とするものである。
【課題を解決するための手段】
【０００６】
前記目的に沿うために本発明は、請求項１に係る発明にあっては、脚柱の一部に、脚柱を積み重ねた時、又は脚柱を折り畳んだ時に、当接する部分に、係止凸部と係止凸部受けを設けた、係止具が取付けられる。
【０００７】
また請求項２に係る発明にあっては、脚柱が積み重ねられる当接する部分、又は脚柱を折り畳んだ当接する部分に、脚柱の一部に係止凸部と係止凸部受けが形成された接手板を設け、前記、係止凸部と係止凸部受けが、お互いに係合する係止具が構成される。
【０００８】
また請求項３に係る発明にあっては、左右一対の脚柱の上端部に、枢支ピンで回動自在に連結し、枢支ピンを軸に回動することができる折畳接手板を設け、前記、折畳接手板に、係止凸部と係止凸部受けを形成し、かつ折り畳んだ脚柱を積み重ねた時に、前記、係止凸部と係止凸部受けが、お互いに係合する係止具が構成される。
【０００９】
また請求項４に係る発明にあっては、左右一対の脚柱の下端部に、折り畳んだ時に脚柱どうしが当接する部分、又は折り畳んだ脚柱を積み重ねた時に当接する部分に、係止凸部と係止凸部受けを形成した端具を設け、折り畳んだ時、積み重ねた時に、前記、係止凸部と係止凸部受けが、お互いに係合する係止具が構成される。
【発明の効果】
【００１０】
請求項１の構造においては、脚柱の一部に、脚柱を積み重ねた時、又は脚柱を折り畳んだ時に、当接する部分に、係止凸部と係止凸部受けを設けた、係止具が取付けられているので、係止凸部と係止凸部受けによって、梯子や梯子兼用脚立又は脚立を、水平状態で上下に積み重ねることができる。
【００１１】
請求項２の構造においては、脚柱が積み重ねられる当接する部分、又は脚柱を折り畳んだ当接する部分に、脚柱の一部に係止凸部と係止凸部受けが形成された接手板を設け、前記、係止凸部と係止凸部受けが、お互いに係合する係止具が構成されるので、梯子や梯子兼用脚立又は脚立を、水平状態で上下に積み重ねることができる。
【００１２】
請求項３の構造においては、左右一対の脚柱の上端部に、枢支ピンで回動自在に連結し、枢支ピンを軸に回動することができる折畳接手板を設け、前記、折畳接手板に、係止凸部と係止凸部受けを形成し、かつ折り畳んだ脚柱を積み重ねた時に、前記、係止凸部と係止凸部受けが、お互いに係合する係止具が構成されるので、梯子兼用脚立又は脚立を、水平状態で上下に積み重ねることができる。
【００１３】
請求項４の構造においては、左右一対の脚柱の下端部に、折り畳んだ時に脚柱どうしが当接する部分、又は折り畳んだ脚柱を積み重ねた時に当接する部分に、係止凸部と係止凸部受けを形成した端具を設け、折り畳んだ時、積み重ねた時に、前記、係止凸部と係止凸部受けが、お互いに係合する係止具が構成されるので、梯子兼用脚立又は脚立を、水平状態で上下に積み重ねることができる。
【発明を実施するための最良の形態】
【００１４】
続いて、添付した図面を参照しつつ、本発明を具体化した実施の形態につき説明し、本発明の理解に供する。
ここに、図１は梯子Aの積み重ね時の側面図、図２は梯子Aの接手板の拡大側面図、図３は図２のa〜a矢視断面図、図４は脚立Bの使用状態の側面図、図５は脚立Bの折畳み時の側面図、図６は脚立Bの折畳み時の正面図、図７は脚立Bの折畳接手板部の拡大側面図、図８は脚立Bの接手板拡大側面図、図９は図８のb〜b矢視断面図、図１０は図８のｃ〜ｃ矢視断面図、図１１は脚立Bの積み重ね時の側面図、図１２は脚立Cの積み重ね時の側面図、図１３は脚立Cの折畳み時の端具説明図、である。
【００１５】
図１、図２に示すように、本発明の実施例１は、Aは本発明に係わる梯子を示し、同梯子Aは、以下のように構成されている。前記梯子は左右一対の脚柱１に一定の間隔をあけて、踏桟２を架設し、脚柱１の下部に端具３が設けられている、さらに、脚柱１の上端部近くと、脚柱１の下端部近くに、係止凸部６、９と係止凸部受け７、８が形成された接手板４が、リベットやねじ５で取付けられている。
即ち、本実施例の接手板４では、脚柱１内側（昇降面の裏側）の長手方向に沿って上部を外側方向に延出する係止凸部６と、下部を外側方向に延出し外部に膨出するだけで形成している係止凸部受け７が形成されている。また、前記接手板４の脚柱１側延長部外側の昇降面には、脚柱１の長手方向に上部を外側方向に延出し外部に膨出するだけで形成している係止凸部受け８と、下部を外側方向に延出する係止凸部９が形成されている。
よって、梯子Aを積み重ねると、脚柱１に取付けられた接手板４の、脚柱１内側（昇降面の裏側）の係止凸部６と脚柱１側延長部外側の係止凸部受け８が係合し、又脚柱１内側（昇降面の裏側）の係止凸部受け７と脚柱１側延長部外側の係止凸部９が、お互いに係合するので梯子Aは水平状態を保ち、かつ横方向や縦方向にずれるようなことがないので、梯子を多数積み重ねても荷崩れを起こすというようなことがなく、確実に整正状態に積層することができる。
また、本発明の接手板４を極めて簡単に製作できる。即ち、プレスによって、一つの金型で孔パンチをし、次に送って外形を打ち抜き、その後、端面の一部を外部に膨出して係止凸部受け７、８を形成すればよい。
【００１６】
図４〜図１１に示すように、本発明の実施例２は、Bは本発明に係わる脚立を示し、同脚立Bは、以下のように構成されている。前記脚立Bは左右一対の脚柱１a、1bに一定の間隔をあけて略ハ字状態とし配設し、踏桟２を架設し、脚柱１a、1bの下部に端具３が設けられている。
【００１７】
又、図４〜図７に示すように、脚柱１a、1bの上端部に略矩形形状とした折畳接手板10a、10bを取付け、しかも、前記折畳接手板10a、10b の内側上部に、ヒンジ12a、12bをそれぞれ突設し、同ヒンジ12a、12b に枢支ピン１１を介して回動自在に連結し、枢支ピン１１を軸に回動することができる折畳接手板10a、10bを設け、脚柱１a、1bを折り畳み自在に構成し、また地面等に対して安定性を有する開き止め金１６を設け、脚立Bとして使用することができるものである。
【００１８】
即ち、本発明では、脚立Bの、右側の脚柱１aの上部には脚柱１aの長手方向に沿って折畳接手板10aが取付けられ、折畳接手板10a の上側は昇降面方向にわずかに延出し、その端面の一部を外部に膨出して係止凸部受け13aを形成し、前記、係止凸部受け13aの下側に昇降面方向にわずかに延出する係止凸部14aで構成されている。
また、脚立Bの、左側の脚柱1bの上部には、脚柱1bの長手方向に沿って折畳接手板10b が取付けられ、折畳接手板10b の上側は昇降面方向にわずかに延出する係止凸部13bと、前記、係止凸部13bの下側に、昇降面方向にわずかに延出しその端面の一部を外部に膨出して係止凸部受け14bを形成するように構成されている。
【００１９】
よって、脚立Bを折り畳んだ状態で、上下に積み重ねると、折畳接手板10aの係止凸部受け13aと折畳接手板10bの係止凸部13bが係合し、又、折畳接手板10aの係止凸部14aと折畳接手板10bの係止凸部受け14bが、お互いに係合するので積み重ねあった脚立Bが横方向や縦方向にずれるようなことがない。
さらに、図４，図５，図８〜図１１に示すように、本実施例では、脚柱１a、1bの下端部近くに、係止凸部6a、7b、8b、9aと、係止凸部受け6b,7a,8a、9bが、形成された接手板4a,4bが、リベットやねじ５で取付けられている。
即ち、本発明では、脚立Bの、右側の脚柱１aの下端部近くに、脚柱１aの長手方向に沿って接手板4a が取付けられ、又左側の脚柱1bの下端部近くに、脚柱1bの長手方向に沿って接手板4b が取付けられるように構成され、脚柱１a、1bを折り畳んだ当接する脚柱１aの内側（昇降面の裏側）に長手方向に沿って上部を外側方向に延出する係止凸部6aと、下部を外側方向に延出し外部に膨出するだけで形成している係止凸部受け7aが形成され、又脚柱1bの内側（昇降面の裏側）に長手方向に沿って上部を外側方向に延出し外部に膨出するだけで形成している係止凸部受け6bと、下部を外側方向に延出する係止凸部7b が形成されているので、脚柱１a、1bを折り畳むと、接手板4aの係止凸部6aと、接手板4bの係止凸部受け6bが係合し、又接手板4aの係止凸部受け7aと、接手板4bの係止凸部7bが、お互いに係合するので、折り畳みあった脚立Bが水平状態を保ち、かつ横方向にずれるようなことがない。
【００２０】
又、脚柱１aの外側（昇降面）に長手方向に沿って上部を外側方向に延出し外部に膨出するだけで形成している係止凸部受け8aと、下部を外側方向に延出する係止凸部9aが形成され、又脚柱1bの外側（昇降面）に長手方向に沿って上部を外側方向に延出する係止凸部8bと、下部を外側方向に延出し外部に膨出するだけで形成している係止凸部受け9bが形成されているので、脚柱１a、1bを折り畳んだ脚立Bを、積み重ねると脚柱１aに取付けられた接手板4aの係止凸部受け8aと、脚柱1bに取付けられた接手板4bの係止凸部8bが係合し、又脚柱１aに取付けられた接手板4aの係止凸部9aと、脚柱1bに取付けられた接手板4bの係止凸部受け9bが、お互いに係合するので、折り畳みあった脚立Bは水平状態を保ち、かつ横方向にずれるようなことがない。
【００２１】
よって、図１１に示すように、脚柱１a、1bの上端部の折畳接手板10a、10bの、係止凸部受け13a、14b係止凸部13b、14aと、脚柱１a、1bの下端部近くの接手板4a,4bの、係止凸部6a、7b、8b、9aと、係止凸部受け6b,7a,8a、9bが、係合するので、折り畳みあった脚立Bを多数積み重ねても水平状態を保ち、荷崩れを起こすというようなことがなく、確実に整正状態に積層することができる。
また、本発明では、折畳接手板10a、10b を極めて簡単に製作できる。即ち、プレスによって、一つの金型で孔パンチをし、次に送って外形を打ち抜き、その後、端面の一部を外部に膨出して係止凸部受け13a、14b を形成すればよい。また、１台の脚立で４枚の折畳接手板10a、10b が必要であるが、部品の種類としては折畳接手板10a、10b の２種類が各２枚ずつあれば良い。
【００２２】
つまり、組立は脚柱１aの右側に折畳接手板10a左側に折畳接手板10b を取り付け、さらに踏桟２を組み込めば片側の脚柱１aとなる。さらにこの脚柱１a、1bの折畳接手板10a、10b の内側上部にある、ヒンジ12a、12bの枢支ピン１１を連結すれば脚立Bとなる。よって、脚柱１a、1bのフランジ部等に孔をあけることがなく、強度が落ちることがないので、安全上問題がない。部品数量が少なく、加工性もよく工数が少なくて済む。
【００２３】
図１２、図１３に示すように、本発明の実施例３は、Cは本発明に係わる脚立を示し、同脚立Cは、以下のように構成されている。前記脚立Cは、左右一対の脚柱１a、1bに一定の間隔をあけて略ハ字状態とし配設し、踏桟２を架設し、折り畳んだ時に脚柱１a、1bどうしが当接する部分、又は折り畳んだ脚柱１a、1bを積み重ねた時に当接する部分に、係止凸部と係止凸部受けを形成した端具3a、3bを設けている。
又、脚柱１a、1bの上端部に略矩形形状とした折畳接手板10a、10bを取付け、しかも、前記折畳接手板10a、10b の内側上部に、ヒンジ12a、12bをそれぞれ突設し、同ヒンジ12a、12b に枢支ピン１１を介して回動自在に連結し、枢支ピン１１を軸に回動することができる折畳接手板10a、10bを設け、脚柱１a、1bを折り畳み自在に構成し、また地面等に対して安定性を有する開き止め金１６を設け、脚立Cとして使用することができるものである。
【００２４】
即ち、本発明では、脚立Cの、右側の脚柱１aの上部には脚柱１aの長手方向に沿って折畳接手板10aが取付けられ、折畳接手板10a の上側は昇降面方向にわずかに延出し、その端面の一部を外部に膨出して係止凸部受け13aを形成し、前記、係止凸部受け13aの下側に昇降面方向にわずかに延出する係止凸部14aで構成されている。
また、脚立Cの、左側の脚柱1bの上部には、脚柱1bの長手方向に沿って折畳接手板10b が取付けられ、折畳接手板10b の上側は昇降面方向にわずかに延出する係止凸部13bと、前記、係止凸部13bの下側に、昇降面方向にわずかに延出しその端面の一部を外部に膨出して係止凸部受け14bを形成するように構成されている。
よって、脚立Cを折り畳んだ状態で、上下に積み重ねると、折畳接手板10aの係止凸部受け13aと折畳接手板10bの係止凸部13bが係合し、又、折畳接手板10aの係止凸部14aと折畳接手板10bの係止凸部受け14bが、お互いに係合するので積み重ねあった脚立Cがずれるようなことがない。
【００２５】
さらに、本実施例では、脚柱１a、1bの下端部に、合成樹脂、ゴム等の成形可能な素材で、上面開口の略箱形状に形成され、又係止凸部17b、18aと、係止凸部受け17a、18bが、形成された端具3a、3bが、ねじ１９で取付けられている。
即ち、本発明では、脚立Cの脚柱１aの下端部に、端具3a が、脚柱1bの下端部に、端具3b が取付けられおり、又脚柱１a、1bを折り畳んだ当接する脚柱１aの端具3aの内側（昇降面の裏側）に係止凸部受け17a が形成され、脚柱1bの内側（昇降面の裏側）に係止凸部17b が形成されているので、脚柱１a、1bを折り畳むと、脚柱１aに取付けられた端具3aの係止凸部受け17a と、脚柱1bに取付けられた端具3bの係止凸部17b が、お互いに係合するので、折り畳みあった脚立Cが水平状態を保ち、かつ横方向にずれるようなことがない。
【００２６】
又、脚柱１aに取付けられた端具3aの外側（昇降面）に、係止凸部18aが形成され、又脚柱1b取付けられた端具3bの外側（昇降面）に、係止凸部受け18bが形成されているので、脚柱１a、1bを折り畳んだ脚立Cを、積み重ねると脚柱１aに取付けられた端具3aの係止凸部18aと、脚柱1bに取付けられた端具3bの係止凸部受け18bが、お互いに係合するので、折り畳みあった脚立Cは水平状態を保ち、かつ横方向にずれるようなことがない。
【００２７】
よって、図１２に示すように、脚柱１a、1bの上端部の折畳接手板10a、10bの、係止凸部受け13a、14bと係止凸部13b、14aが係合し、脚柱１a、1bの下端部の端具3a、3bの、係止凸部17b、18aと係止凸部受け17a、18bが係合するので、折り畳みあった脚立Bを多数積み重ねても水平状態を保ち、荷崩れを起こすというようなことがなく、確実に整正状態に積層することができる。
【００２８】
本発明は、前記した実施形態に限定するものではなく、本発明の要旨を変更しない範囲での変更は可能であり、例えば、梯子Aの、脚柱１の下端近くの接手金４を取付けず、脚立Cの端具を梯子Aの脚柱１の下端に取り付けても、梯子Aを水平状態に保ち、梯子Aを多数積み重ねても荷崩れを起こすというようなことがなく、確実に整正状態に積層することができる。
【００２９】
又、実施例の脚立B、Cが、脚柱1a,1bを完全に開き、梯子となる梯子兼用脚立でも、実施例の脚立B、Cと、同じ作用、効果があり、本発明の権利の範囲に含まれる。
さらに、実施例の脚立Cの脚柱1a,1bの下部に、伸縮式脚柱が脚柱1a,1bの中を摺動自在で固定装置を具備し構成された伸縮脚に端具3a、3bを取り付ける場合も、実施例の脚立Cと、同じ作用、効果があり、本発明の権利の範囲に含まれる。
【図面の簡単な説明】
【００３０】
【図１】梯子Aの積み重ね時の側面図、
【図２】梯子Aの接手板の拡大側面図、
【図３】図２のa〜a矢視断面図、
【図４】脚立Bの使用状態の側面図、
【図５】脚立Bの折畳み時の側面図、
【図６】脚立Bの折畳み時の正面図、
【図７】脚立Bの折畳接手板部の拡大側面図、
【図８】脚立Bの接手板拡大側面図、
【図９】図８のb〜b矢視断面図、
【図１０】図８のｃ〜ｃ矢視断面図、
【図１１】脚立Bの積み重ね時の側面図、
【図１２】脚立Cの積み重ね時の側面図、
【図１３】脚立Cの折畳み時の端具説明図、
【図１４】従来梯子の積み重ね状態説明図
【符号の説明】
【００３１】
１：脚柱
1a,1b、：脚柱
２：踏桟
3： 端具
3a,3b：端具
４：接手板
4a,4b、：接手板  
５：リベットやねじ
６、９：係止凸部
７，８：係止凸部受け
10a、10b：折畳接手板
１１：枢支ピン
12a,12b：ヒンジ
13a：係止凸部受け
13b：係止凸部
14a：係止凸部
14b：係止凸部受け
１５：リベットやねじ
１６：開き止め金
17a：係止凸部受け
17b：係止凸部
18a：係止凸部
18b：係止凸部受け
１９：ねじ
【図１】
2006016861.tif 000003
【図２】
2006016861.tif 000004
【図３】
2006016861.tif 000005
【図４】
2006016861.tif 000006
【図５】
2006016861.tif 000007
【図６】
2006016861.tif 000008
【図７】
2006016861.tif 000009
【図８】
2006016861.tif 000010
【図９】
2006016861.tif 000011
【図１０】
2006016861.tif 000012
【図１１】
2006016861.tif 000013
【図１２】
2006016861.tif 000014
【図１３】
2006016861.tif 000015
【図１４】
2006016861.tif 000016